(57)【要約】  通信システム全体に割当てられた全ての周波数を複数個に分割し、互いに隣接するセル同士で異なる周波数を使用する１個以上の周波数割当てパターンの時間帯と、通信システム全体に割当てられた全ての周波数を互いに隣接するセル同士で使用する周波数割当てパターンの時間帯を繰り返す。そして、基地局装置は、端末装置と通信する際の無線品質に応じて、端末装置との通信に使用する周波数割当てパターンの選択および割当てをおこなう。
2008105091.tif 000002
【特許請求の範囲】
【請求項１】
第１、第２の基地局装置を備えた無線通信システムにおいて、
前記第１の基地局装置は、第１の時間帯において、第１の周波数、第２の周波数のうち該第１の周波数を用いた送信又は受信を行い、第２の時間帯において、該第１の周波数、該第２の周波数の双方を用いた送信又は受信を行う第１無線部を備え、
前記第２の基地局装置は、前記第１の時間帯において、前記第１の周波数、前記第２の周波数のうち該第２の周波数を用いた送信又は受信を行い、前記第２の時間帯において、該第１の周波数、該第２の周波数の双方を用いた送信又は受信を行う第２無線部を備えたことを特徴とする無線通信システム。
【請求項２】
前記第１の基地局装置、前記第２の基地局のいずれかは、前記第１の時間帯における前記送信又は受信は、前記第２の時間帯における前記送信又は受信に対してエリアが広いことを特徴とする請求項１に記載の無線通信システム。
【請求項３】
前記第１の無線基地局又は前記第２の無線基地局は、端末装置の受信状況に応じて、該端末の通信期間として少なくとも前記第１の時間帯又は前記第２の時間帯のいずれかを割当てることを特徴とする請求項１に記載の無線通信システム。
【請求項４】
第１の時間帯において、第１の周波数、第２の周波数のうち該第１の周波数を用いた送信又は受信を行い、第２の時間帯において、該第１の周波数、該第２の周波数の双方を用いた送信又は受信を行う第１の基地局装置と、前記第１の時間帯において、前記第１の周波数、前記第２の周波数のうち該第２の周波数を用いた送信又は受信を行い、前記第２の時間帯において、該第１の周波数、該第２の周波数の双方を用いた送信又は受信を行う第２の基地局装置とを備えた無線通信システム内で使用される端末装置において、
少なくとも前記第１の時間帯、前記第２の時間帯のいずれかの割り当てを前記第１の基地局装置から受ける割当て受信部と、
該割当てられた時間帯で、前記第１の基地局装置と無線通信を行うように制御する制御部と、
を備えたことを特徴とする端末装置。
【請求項５】
第１、第２の基地局装置を備えた無線通信システムにおける通信方法において、
前記第１の基地局装置は、第１の時間帯において、第１の周波数、第２の周波数のうち該第１の周波数を用いた送信又は受信を行い、第２の時間帯において、該第１の周波数、該第２の周波数の双方を用いた送信又は受信を行い、
前記第２の基地局装置は、前記第１の時間帯において、前記第１の周波数、前記第２の周波数のうち該第２の周波数を用いた送信又は受信を行い、前記第２の時間帯において、該第１の周波数、該第２の周波数の双方を用いた送信又は受信を行うことを特徴とする通信方法。
【請求項６】
通信システム全体に割当てられた全ての周波数を複数個に分割し、互いに隣接するセル同士で異なる周波数を使用する１個以上の周波数割当てパターンの時間帯と、通信システム全体に割当てられた全ての周波数を互いに隣接するセル同士で使用する周波数割当てパターンの時間帯を繰り返して、基地局装置と端末装置の間で通信を行う無線通信システムであって、
前記基地局装置は、前記周波数割当てパターンを該セルに割当てる周波数割当て切換部と、
端末装置と通信する際の無線品質に応じて、端末装置との通信に使用する周波数割当てパターンの選択および割当てる制御部と、
を備えたことを特徴とする無線通信システム。
【請求項７】
前記端末装置は、下り回線にて、前記基地局装置からの各周波数割当てパターンでの受信信号に対する無線品質を測定する測定部を有し、該測定部により得た無線品質を前記基地局装置に報告することにより、同基地局装置は、各周波数割当てパターンでの端末装置の無線品質を収集することを特徴とする請求項６に記載の無線通信システム。
【請求項８】
前記基地局装置は、上り回線にて、前記端末装置からの各周波数割当てパターンでの受信信号に対する無線品質を測定する測定部を有し、該測定部により、各周波数割当てパターンでの端末装置の無線品質を収集することを特徴とする請求項６に記載の無線通信システム。
【請求項９】
前記端末装置は、下り回線にて、前記基地局装置からのある周波数割当てパターンでの受信信号に対する無線品質を測定する測定部を有し、
前記基地局装置は、ある周波数割当てパターンでの端末装置の無線品質に基づいて、各周波数割当てパターンでの端末装置の無線品質を算出する推測部を有し、
前記端末装置が前記測定部により得た無線品質を前記基地局装置に報告し、同基地局装置は、前記端末装置から報告された無線品質に基づいて、前記推測部により、各周波数割当てパターンでの端末装置の無線品質を算出することにより、各周波数割当てパターンでの端末装置の無線品質を収集することを特徴とする請求項６に記載の無線通信システム。
【請求項１０】
前記端末装置は、下り回線にて、前記基地局装置からのある周波数割当てパターンでの受信信号に対する無線品質を測定する測定部と、ある周波数割当てパターンでの受信信号に対する無線品質に基づいて、各周波数割当てパターンでの受信信号に対する無線品質を算出する推測部を有し、前記測定部により得た無線品質と、該無線品質に基づいて前記推測部により算出した無線品質を前記基地局装置に報告することにより、同基地局装置が各周波数割当てパターンでの端末装置の無線品質を収集することを特徴とする請求項６に記載の無線通信システム。
【請求項１１】
前記基地局装置は、上り回線にて、前記端末装置からのある周波数割当てパターンでの受信信号に対する無線品質を測定する測定部と、ある周波数割当てパターンでの端末装置の無線品質に基づいて、各周波数割当てパターンでの端末装置の無線品質を算出する推測部を有し、前記測定部および前記推測部により、各周波数割当てパターンでの端末装置の無線品質を収集することを特徴とする請求項６に記載の無線通信システム。
【請求項１２】
前記基地局装置は、端末装置あたりの期待される伝送速度を算出する速度算出部を有し、
各周波数割当てパターンに対する端末装置の無線品質と、前記速度算出部により得た、各周波数割当てパターンにて期待される伝送速度に基づいて、端末装置との通信に使用する周波数割当てパターンの選択および割当てを行うことを特徴とする請求項６に記載の無線通信システム。
【請求項１３】
前記基地局装置は、各周波数割当てパターンを選択する可能性のある端末装置の数を計測する計測部を有し、
各周波数割当てパターンに対する端末装置の無線品質と、前記計測部により得た、各周波数割当てパターンを共用する端末装置数に基づいて、端末装置との通信に使用する周波数割当てパターンの選択および割当てを行うことを特徴とする請求項６に記載の無線通信システム。
【請求項１４】
前記端末装置は、各周波数割当てパターンでの無線品質に基づいて、前記基地局装置と通信を行う周波数割当てパターンを選択する周波数選択部を有し、前記基地局装置に対して、前記周波数選択部により選択した周波数割当てパターンでの通信を要求し、
前記基地局装置は、前記端末装置により要求された周波数割当てパターンを使用するか否かを判定することを特徴とする請求項６に記載の無線通信システム。
【請求項１５】
前記端末装置は、下り回線にて、前記基地局装置からの各周波数割当てパターンでの受信信号に対する無線品質を測定する測定部を有し、該測定部により、各周波数割当てパターンでの端末装置の無線品質を収集することを特徴とする請求項１４に記載の無線通信システム。
【請求項１６】
前記端末装置は、下り回線にて、前記基地局装置からのある周波数割当てパターンでの受信信号に対する無線品質を測定する測定部と、ある周波数割当てパターンでの受信信号に対する無線品質に基づいて、各周波数割当てパターンでの受信信号に対する無線品質を算出する推測部を有し、前記測定部および前記推測部により、各周波数割当てパターンでの端末装置の無線品質を収集することを特徴とする請求項９に記載の無線通信システム。
【請求項１７】
前記基地局装置は、各周波数割当てパターンを選択した回数を計測する計測部を有し、
前記周波数割当て切換部は、各周波数割当てパターンに対する端末装置の無線品質と、前記計測部により得た、各周波数割当てパターンを選択した回数の比率に基づいて、各周波数割当てパターンの時間帯の比率を変更することを特徴とする請求項６に記載の無線通信システム。
【請求項１８】
前記端末装置は、各周波数割当てパターンでの受信信号に対する無線品質を測定する測定部を有し、該測定部は、プリアンブルを使用して各周波数割当てパターンでの端末装置の無線品質を測定することを特徴とする請求項６に記載の無線通信システム。
【請求項１９】
前記周波数割当て切換部は、通信システム全体に割当てられた全ての周波数を複数個に分割し、互いに隣接するセル同士で異なる周波数を使用する１個以上の周波数割当てパターンの時間帯と、通信システム全体に割当てられた全ての周波数を互いに隣接するセル同士で使用する周波数割当てパターンの時間帯を、フレーム内のゾーン切換えにて繰返し割当てることを特徴とする請求項６に記載の無線通信システム。
【請求項２０】
前記周波数割当て切換部は、通信システム全体に割当てられた全ての周波数を複数個に分割し、互いに隣接するセル同士で異なる周波数を使用する１個以上の周波数割当てパターンの時間帯と、通信システム全体に割当てられた全ての周波数を互いに隣接するセル同士で使用する周波数割当てパターンの時間帯を、フレーム間の切換えにて繰返し割当てることを特徴とする請求項６に記載の無線通信システム。
【発明の詳細な説明】
【技術分野】
【０００１】
本発明は、無線通信システム、端末装置および通信方法に関するものである。
【背景技術】
【０００２】
無線通信システムの一形態として、携帯電話システム等の移動通信システムがある。移動通信システムにおいては、伝送速度は、単位周波数あたりの伝送速度や周波数幅などにより変動する。基地局装置あたりの伝送速度は、実現できる単位周波数あたりの伝送速度、および使用できる周波数幅が大きいほど、高速になる。また、端末装置あたりの伝送速度は、割当てられる単位周波数、単位時間あたりの伝送速度や周波数幅、および時間期間が大きいほど、高速になる。【０００３】
図２９は、移動通信システムの構成を示す図である。図２９に示すように、移動通信システムは、端末装置１、基地局装置２、網接続装置３および通信網４により構成される。端末装置１は、基地局装置２に無線により接続される。基地局装置２は、網接続装置３に有線により接続される。基地局装置２は、無線信号と有線信号の変換および中継、無線回線や有線回線の回線管理、並びに端末装置１との通信制御を行う。【０００４】
また、基地局装置２は、端末装置１との通信を行うエリアであるセル、またはセルを分割したセクタを形成する。網接続装置３は、通信網４に有線により接続される。網接続装置３は、複数の基地局装置２の間および基地局装置２と通信網４の間における有線信号の中継、有線回線の回線管理、並びに端末装置１の状態管理を行う。【０００５】
端末装置１と基地局装置２の間の通信方式には、ＦＤＭＡ（Ｆｒｅｑｕｅｎｃｙ  Ｄｉｖｉｓｉｏｎ  Ｍｕｌｔｉｐｌｅ  Ａｃｃｅｓｓ、周波数分割多元接続）方式、ＴＤＭＡ（Ｔｉｍｅ  Ｄｉｖｉｓｉｏｎ  Ｍｕｌｔｉｐｌｅ  Ａｃｃｅｓｓ、時分割多元接続）方式、ＣＤＭＡ（Ｃｏｄｅ  Ｄｉｖｉｓｉｏｎ  Ｍｕｌｔｉｐｌｅ  Ａｃｃｅｓｓ、符号分割多元接続）方式、およびＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、直交周波数分割多元分割）方式などがある。基地局装置２は、端末装置１に、採用する通信方式に応じて、通信を行うための周波数や時間や符号などを割当てる。また、基地局装置２は、端末装置１の無線品質に応じて、適当な符号化変調方式を割当てる。【０００６】
通常、ＦＤＭＡやＴＤＭＡ、ＯＦＤＭＡなどの通信方式では、隣接するセルやセクタ（以下、セル等とする）の境界付近における干渉を避けるため、使用可能な全周波数を複数に分割し、隣り合うセル等に異なる周波数が割当てられる。しかし、このような周波数の分割、割当て方式では、各セル等の周波数幅が狭くなるため、端末装置１と基地局装置２の間の伝送速度が低下してしまう。【０００７】
そこで、分割した周波数を全てのセル等に共通に重畳することにより、伝送速度の改善を図るようにした周波数割当て方式が提案されている（例えば、特許文献１参照。）。図３０は、この周波数割当て方式を説明する図であり、図３１は、図３０の各セル等における基地局装置からの送信信号の周波数と時間と送信電力の関係を示す図である。これらの図に示すように、使用可能な全周波数が４つの周波数に分割され、セルＡ１１には、隣接するセルＢ１２およびセルＣ１３とは異なる周波数ｆAが割当てられる。そして、このｆAの周波数に、全セルに共通の周波数ｆDが重畳される。【０００８】
同様に、セルＢ１２およびセルＣ１３には、それぞれ、周波数ｆBおよびｆCが割当てられ、それぞれにｆDの周波数が重畳される。この周波数割当て方式では、セル等の境界付近にいる端末装置は、同じ周波数ｆDを用いる隣接セル等との干渉により、ｆDの周波数を用いて基地局装置と通信することはできない。従って、例えばセルＡ１１において、セルＡ１１の境界付近にいる端末装置は、ｆAの周波数を用いて基地局装置と通信する必要がある。一方、セル等の中央付近、すなわち基地局（図に、鉄塔の図柄で示す）に近いエリアにいる端末装置は、ｆAの周波数に加えて、ｆDの周波数によっても基地局装置と通信することができる。【０００９】
【特許文献１】特開２００４−１５９３４５号公報
【発明の開示】
【発明が解決しようとする課題】
【００１０】
上述した特許文献１に開示された周波数割当て方式では、各セル等が、各セル等に固有に割当てられた周波数（ｆA、ｆB、ｆC）に加えて、各セル等に共通の周波数（ｆD）を使用するので、各セル等に割当てられた周波数幅が広くなり、端末装置と基地局装置の間の伝送速度が改善される。しかしながら、別途ｆDの確保を行う必要がある。【００１１】
本発明は、上記に鑑みてなされたものであって、時間の概念を導入して周波数を有効利用することを目的とする。また、隣接セル等との干渉をできるだけ回避することを目的とする。また、セル等内の全ての端末装置との通信を実現しつつ、基地局装置あたり、または端末装置あたりの伝送速度を改善する無線通信システム、端末装置および通信方法を提供することを目的とする。
【課題を解決するための手段】
【００１２】
上述した課題を解決し、目的を達成するために、本発明は、第１、第２の基地局装置を備えた無線通信システムにおいて、前記第１の基地局装置は、第１の時間帯において、第１の周波数、第２の周波数のうち該第１の周波数を用いた送信を行い、第２の時間帯において、該第１の周波数、該第２の周波数の双方を用いた送信を行う送信部を備え、前記第２の基地局装置は、前記第１の時間帯において、前記第１の周波数、前記第２の周波数のうち該第２の周波数を用いた送信を行い、前記第２の時間帯において、該第１の周波数、該第２の周波数の双方を用いた送信を行う送信部を備えたことを特徴とする。【００１３】
また、通信システム全体に割当てられた全ての周波数を複数個に分割し、互いに隣接するセル同士で異なる周波数を使用する１個以上の周波数割当てパターンの時間帯と、通信システム全体に割当てられた全ての周波数を互いに隣接するセル同士で使用する周波数割当てパターンの時間帯を繰り返す。そして、基地局装置は、端末装置と通信する際の無線品質に応じて、端末装置との通信に使用する周波数割当てパターンの選択および割当てを行う。
【発明の効果】
【００１４】
本発明によれば、時間の概念を導入して周波数を有効利用することができる。また、隣接セル等との干渉をできるだけ回避することができる。また、セル等内の全ての端末装置との通信を実現しつつ、基地局装置あたり、または端末装置あたりの伝送速度を改善することができるという効果を奏する。
【図面の簡単な説明】
【００１５】
【図１】図１は、本発明にかかる無線通信システムの実施例１の基地局装置を示す図である。
【図２】図２は、本発明にかかる無線通信システムの実施例１の端末装置を示す図である。
【図３】図３は、本発明にかかる無線通信システムの実施例１の周波数割当て方式を説明する図である。
【図４】図４は、図３の各セルにおける周波数と時間と送信電力の関係を示す図である。
【図５】図５は、本発明にかかる無線通信システムの実施例１の周波数割当て手順を示す図である。
【図６】図６は、本発明にかかる無線通信システムの実施例１の無線品質収集手順を示す図である。
【図７】図７は、本発明にかかる無線通信システムの実施例２の周波数割当て方式を説明する図である。
【図８】図８は、図７の各セルにおける周波数と時間と送信電力の関係を示す図である。
【図９】図９は、本発明にかかる無線通信システムの実施例３の無線品質収集手順を示す図である。
【図１０】図１０は、本発明にかかる無線通信システムの実施例４の基地局装置を示す図である。
【図１１】図１１は、本発明にかかる無線通信システムの実施例４の無線品質収集手順を示す図である。
【図１２】図１２は、本発明にかかる無線通信システムの実施例５の端末装置を示す図である。
【図１３】図１３は、本発明にかかる無線通信システムの実施例５の無線品質収集手順を示す図である。
【図１４】図１４は、本発明にかかる無線通信システムの実施例６の無線品質収集手順を示す図である。
【図１５】図１５は、本発明にかかる無線通信システムの実施例７の基地局装置を示す図である。
【図１６】図１６は、実施例７における端末装置の位置の例を示す図である。
【図１７】図１７は、実施例７における端末装置の無線品質の例を示す図である。
【図１８】図１８は、本発明にかかる無線通信システムの実施例８の基地局装置を示す図である。
【図１９】図１９は、本発明にかかる無線通信システムの実施例９の端末装置を示す図である。
【図２０】図２０は、本発明にかかる無線通信システムの実施例９の周波数割当て手順を示す図である。
【図２１】図２１は、本発明にかかる無線通信システムの実施例１０の端末装置を示す図である。
【図２２】図２２は、本発明にかかる無線通信システムの実施例１１の調整手順を示す図である。
【図２３】図２３は、本発明にかかる無線通信システムの実施例１２の想定するフレーム構成を示す図である。
【図２４】図２４は、本発明にかかる無線通信システムの実施例１２のプリアンブルでの周波数割当て方式を説明する図である。
【図２５】図２５は、本発明にかかる無線通信システムの実施例１２のバースト領域での周波数割当て方式を説明する図である。
【図２６】図２６は、同じ位置のサブキャリアにおける干渉雑音に対するプリアンブルのサブキャリアの無線品質を示す図である。
【図２７】図２７は、全てのサブキャリアにおける干渉雑音に対するプリアンブルのサブキャリアの無線品質を示す図である。
【図２８】図２８は、本発明にかかる無線通信システムの実施例１２の周波数および符号化変調方式の割当て手順を示す図である。
【図２９】図２９は、移動通信システムの構成を示す図である。
【図３０】図３０は、従来の周波数割当て方式を説明する図である。
【図３１】図３１は、図３０の各セル等における周波数と時間と送信電力の関係を示す図である。
【符号の説明】
【００１６】
１１，１２，１３，１５１，１５２，１５３，１５４，１５５  セル
２０，６０，８０，１００  基地局装置
２６  周波数割当て切換部
２８，５０  測定部
４０，７０，９１，９２，１１０，１２０  端末装置
６１，７１  推測部
８１  速度算出部
１０１  計測部
１１１  周波数選択部
【発明を実施するための最良の形態】
【００１７】
以下に、本発明にかかる無線通信システム、端末装置および通信方法の実施例を図面に基づいて詳細に説明する。以下の説明では、基地局装置がセルを形成する場合について説明するが、基地局装置がセクタを形成する場合には、セルをセクタと読み替えればよい。また、各実施例の説明において、実施例１と同様の内容については、説明が重複するので、省略する。なお、この実施例によりこの発明が限定されるものではない。
【実施例１】
【００１８】
図１は、本発明にかかる無線通信システムの実施例１の基地局装置を示す図である。図１に示すように、基地局装置２０は、アンテナ２１、無線処理部２２、制御部２３、有線連結部２４、記憶部２５および周波数割当て切換部２６を備えている。無線処理部２２は、無線送受信部２７および測定部２８により構成されている。【００１９】
無線送受信部２７は、アンテナ２１を介して無線信号によって端末装置に接続される。無線送受信部２７は、端末装置から無線信号として送られてくる音声やデータなどの情報信号や制御信号を受信して有線信号に変換する。また、無線送受信部２７は、網接続装置から送られてくる有線信号や、制御信号を無線信号に変換して端末装置へ送信する。測定部２８は、無線品質の測定を行う。基地局装置２０がセクタを形成する場合には、基地局装置２０は、複数の無線処理部２２を有する。【００２０】
制御部２３は、端末装置や網接続装置からの制御信号を終端する信号終端機能２９と、通信制御を行う通信制御機能３０を実現し、制御信号の生成および処理を行う。情報信号および制御信号は、無線送受信部２７および有線連結部２４を経由して、端末装置と網接続装置の間で送受信される。有線連結部２４は、信号ケーブル等の有線３１を介して有線信号によって網接続装置に接続される。記憶部２５は、種々のパラメータ等を記憶する。周波数割当て切換部２６は、各セルに周波数割当てパターンや時間帯を割当てる。【００２１】
図２は、本発明にかかる無線通信システムの実施例１の端末装置を示す図である。図２に示すように、端末装置４０は、アンテナ４１、無線処理部４２、制御部４３、マイク部４４、スピーカ部４５、キー入力部４６、画面表示部４７および記憶部４８を備えている。無線処理部４２は、無線送受信部４９および測定部５０により構成されている。【００２２】
無線送受信部４９は、アンテナ４１を介して無線信号によって基地局装置に接続される。無線送受信部４９は、基地局装置を介して通信網から送られてくる音声やデータなどの情報信号や、基地局装置や網接続装置から送られてくる制御信号を受信する。また、無線送受信部４９は、マイク部４４から入力された音声や、記憶部４８に保存されたデータを無線信号に変換して基地局装置へ送信する。測定部５０は、無線品質の測定を行う。【００２３】
制御部４３は、基地局装置や網接続装置からの制御信号を終端する信号終端機能５１を実現し、制御信号の生成および処理を行う。マイク部４４およびキー入力部４６は、それぞれ、基地局装置を介して通信網へ送信する音声およびデータの入力に使用される。スピーカ部４５および画面表示部４７は、それぞれ、基地局装置を介して通信網から送られてくる音声およびデータの出力に使用される。記憶部４８は、受信したデータや種々のパラメータ等を記憶する。【００２４】
端末装置４０は、例えば携帯電話機である。また、無線処理部４２、制御部４３および記憶部４８を備えた無線接続カード等の装置と、キー入力部４６、画面表示部４７および記憶部４８の代わりとして機能するパーソナルコンピュータとを組み合わせて端末装置４０とすることもできる。【００２５】
図３は、本発明にかかる無線通信システムの実施例１の周波数割当て方法を説明する図である。図４は、図３の各セルにおける基地局装置からの送信信号の周波数と時間と送信電力の関係を示す図である。これらの図に示すように、使用可能な全周波数は、例えば３つの周波数に分割される。そして、セルＡ１１、セルＢ１２およびセルＣ１３に対する周波数の割当てパターンには、周波数割当てパターン１と周波数割当てパターン２の２つがある。【００２６】
即ち、図３を参照してもわかるように、第１、第２の基地局装置（例えば、セルＡ、セルＢを形成する基地局装置、以下基地局Ａ、基地局Ｂと称する）を備えた無線通信システムにおいて、基地局Ａは、第１の時間帯（ｔ１）において、第１の周波数（以下、ＦＡ）、第２の周波数（以下、ＦＢ）のうちＦＡを用いた送信を行い、第２の時間帯（ｔ２）において、ＦＡ、ＦＢの双方を用いた送信を行う。基地局Ｂは、第１の時間帯（ｔ１）において、ＦＡ、ＦＢのうちＦＢを用いた送信を行い、第２の時間帯（ｔ２）において、ＦＡ、ＦＢの双方を用いた送信を行うのである。以下、さらに具体的に説明する。【００２７】
周波数割当てパターン１では、セルＡ１１、セルＢ１２およびセルＣ１３には、それぞれ隣接するセル（以下、隣接セルとする）とは異なる周波数ｆA、ｆBおよびｆCが割当てられる。従って、周波数割当てパターン１では、隣接セル同士の干渉を回避することができる。周波数割当てパターン２では、セルＡ１１、セルＢ１２およびセルＣ１３には、全周波数、すなわち［ｆA＋ｆB＋ｆC］が割当てられる。従って、周波数割当てパターン２では、セルＡ１１、セルＢ１２およびセルＣ１３のすべてにおいて、伝送速度を改善することができる。【００２８】
周波数割当てパターン１の時間帯はｔ1であり、周波数割当てパターン２の時間帯はｔ2である。そして、ｔ1の時間帯とｔ2の時間帯は、交互に繰り返えしてもよいし、図４に示すように、周波数割当てパターン１および周波数割当てパターン２のいずれにおいても、各セルの基地局装置は、自身が形成するセルの全域に行き渡るような通常の送信電力で電波を送信する。【００２９】
ただし、周波数割当てパターン２では、隣接セル同士の干渉により、基地局装置とセルの境界付近にいる端末装置との間で通信が難しくなる。そのため、図３に示すように、周波数割当てパターン２のときには、基地局周辺領域１４，１５，１６のみが通信可能な状態となり、セルの境界付近領域１７，１８，１９は通信不能な状態となる。このことに鑑みれば、周波数割当てパターン２のときの送信電力を、この通信不能なセルの境界付近領域１７，１８，１９を除く基地局周辺領域１４，１５，１６にのみ電波が届くように制限してもよい。この場合には、省電力化を図ることができる。【００３０】
図５は、本発明にかかる無線通信システムの実施例１の周波数割当て手順を示す図である。まず、セルＡ１１、セルＢ１２およびセルＣ１３において、基地局装置は、周波数割当てパターン１の時間帯ｔ1と周波数割当てパターン２の時間帯ｔ2を交互に繰り返す。周波数割当てパターンや時間帯は、パラメータ（設定値）として予め基地局装置の記憶部２５に保持されている。この予め用意されているパラメータを固定値としてもよいし、予め用意されているパラメータは初期値であり、無線品質等に応じて周波数割当てパターンや時間帯のパラメータを適宜、変更して基地局装置の記憶部２５に記憶するようにしてもよい。【００３１】
周波数割当てパターン１と周波数割当てパターン２の切換えは、基地局装置の記憶部２５に保持されているパラメータに従って、基地局装置の周波数割当て切換部２６により行われる。基地局装置の送信電力は、いずれの周波数割当てパターンにおいても、上述したように、通常の送信電力である。この状態で、図５に示すように、基地局装置は、周波数割当てパターン１および周波数割当てパターン２のそれぞれにおいて端末装置の無線品質を収集する（ステップＳ１）。【００３２】
無線品質は、隣接セルとの干渉により、セルの中央に近い所にいる端末装置ほど良好であり、セルの境界に近い所にいる端末装置ほど劣悪となる。また、端末装置の位置がセル内で同じであっても、同じ周波数を使用するセル同士が離れているほど、無線品質が良好となる。ここで、無線品質は、信号対干渉雑音比でもよいし、受信電力でもよい。また、無線品質の収集タイミングは、周期的でもよいし、基地局装置からの要求などに基づく事象契機でもよい。【００３３】
次いで、基地局装置は、収集した各周波数割当てパターンでの端末装置の無線品質と、通信品質を保証する所要の無線品質を比較する。そして、基地局装置は、端末装置ごとに、その端末装置と通信を行う周波数割当てパターンとして、その所要の無線品質を満足する周波数割当てパターンを選択する（ステップＳ２）。ここで、所要の無線品質は、周波数割当てパターン１および周波数割当てパターン２に共通であり、パラメータ（設定値）として予め基地局装置の記憶部２５に保持されている。【００３４】
セルの中央に近い所にいる端末装置ほど、そのセルの周辺で同じ周波数を使用するセルとの距離が近く、かつ、セルあたりの周波数幅が広い周波数割当てパターンを選択することができる。すなわち、セルの中央に近い所にいる端末装置ほど、より多くの周波数割当てパターンを選択することができる。【００３５】
図３に示す例では、セルＡ１１、セルＢ１２およびセルＣ１３のそれぞれにおいて、基地局周辺領域１４，１５，１６にいる端末装置については、周波数割当てパターン１と周波数割当てパターン２の両方を選択することができる。一方、セルの境界付近領域１７，１８，１９にいる端末装置については、周波数割当てパターン２を選択することができず、周波数割当てパターン１のみを選択することができる。そして、基地局装置は、この選択を参考として、端末装置ごとに通信を行う周波数割当てパターンを割当てる（ステップＳ３）。【００３６】
その際、基地局装置は、周波数割当てパターン１と周波数割当てパターン２の両方を選択できる端末装置に対して、周波数割当てパターン１と周波数割当てパターン２のいずれか一方のみを割当ててもよいし、両方を割当ててもよい。両方の周波数割当てパターンが割当てられる場合、割当てられる時間期間が長くなり、端末装置あたりの伝送速度が改善される。基地局装置は、複数個の周波数割当てパターンの中から実際に割当てるパターンをいくつかに絞る場合には、周波数幅が大きいパターンや、端末装置の無線品質が良好なパターンから順に選択する。【００３７】
また、基地局装置は、端末装置に対して、上り回線と下り回線で異なる周波数割当てパターンを割当ててもよい。さらに、基地局装置は、端末装置に対して、周波数割当てパターンに加えて、端末装置との通信を行う時間期間などを割当ててもよい。また、適応変調方式を採用する通信システムの場合には、基地局装置は、端末装置に対して、符号化変調方式を割当ててもよい。周波数割当てパターンの割当てが済んだら、基地局装置と端末装置は、その割当てられた周波数割当てパターンで通信を行う（ステップＳ４）。【００３８】
図６は、本発明にかかる無線通信システムの実施例１の無線品質収集手順を示す図である。図６に示すように、まず、基地局装置は、周波数割当てパターン１の時間帯ｔ1において、この周波数割当てパターン１で使用する周波数でもって、端末装置に対して、測定対象となる信号を一定の送信電力で送信する（ステップＳ１１）。この測定対象となる信号は、固定の形式の信号であり、その固定の形式は、各セルにより異なる。また、基地局装置は、端末装置に対して、周波数割当てパターン１での、その固定の形式の信号に対する無線品質の測定と報告を要求する。【００３９】
端末装置は、周波数割当てパターン１の時間帯ｔ1において、その無線送受信部４９により固定の形式の信号を受信し、その測定部５０により無線品質を測定する（ステップＳ１２）。次いで、基地局装置は、周波数割当てパターン２についても同様に、端末装置に対して、固定の形式の信号を送信し、無線品質の測定と報告を要求する（ステップＳ１３）。それに応答して、端末装置は、周波数割当てパターン２での無線品質を測定する（ステップＳ１４）。ここでは、周波数割当てパターンはパターン１とパターン２の２つであるが、さらに３以降の周波数割当てパターンがある場合には、それらについても同様にする。【００４０】
そして、端末装置は、各周波数割当てパターンで測定した無線品質を基地局装置に報告する（ステップＳ１５）。なお、測定対象となる信号の、セルごとに異なる固定の形式が各端末装置で既知であり、その固定の形式を利用することによって各セルでの無線品質を区別することができる場合には、全ての割当て周波数を同時に使用する周波数割当てパターンの時間帯において、各セルでの無線品質を測定し、その測定した無線品質から各周波数割当てパターンでの無線品質を算出するようにしてもよい。
【実施例２】
【００４１】
実施例２は、以下の点で実施例１と異なる。周波数割当てパターン１の時間帯ｔ1において、各セルに、隣接セルと異なる周波数が、自身が形成するセルの全域に電波が届くような通常の送信電力で割当てられる。そして、この隣接セルと異なる周波数に、隣接セルに割当てられる周波数が、セルの境界付近領域には届かないように制限して重畳される。周波数割当てパターン２の時間帯ｔ2については、実施例１と同じである。【００４２】
図７は、本発明にかかる無線通信システムの実施例２の周波数割当て方法を説明する図である。図８は、図７の各セルにおける基地局装置からの送信信号の周波数と時間と送信電力の関係を示す図である。これらの図に示すように、周波数割当てパターン１の時間帯ｔ1において、セルＡ１１には、通常の送信電力でのｆAと、制限された送信電力でのｆBおよびｆCが割当てられる。【００４３】
同様に、セルＢ１２には、通常の送信電力でのｆBと、制限された送信電力でのｆAおよびｆCが割当てられる。セルＣ１３には、通常の送信電力でのｆCと、制限された送信電力でのｆAおよびｆBが割当てられる。
【実施例３】
【００４４】
実施例３は、以下の点で実施例１と異なる。基地局装置は、上り回線にて、端末装置からの各周波数割当てパターンでの受信信号に対する無線品質を測定し、それによって、各周波数割当てパターンでの端末装置の無線品質を収集する。基地局装置は、無線品質の測定を周期的に行う。【００４５】
図９は、本発明にかかる無線通信システムの実施例３の無線品質収集手順を示す図である。図９に示すように、まず、端末装置は、周波数割当てパターン１の時間帯ｔ1において、この周波数割当てパターン１で使用する周波数でもって、基地局装置に対して、測定対象となる信号を一定の送信電力で送信する（ステップＳ２１）。この測定対象となる信号は、固定の形式の信号であり、その固定の形式は、各端末装置により異なる。【００４６】
基地局装置は、周波数割当てパターン１の時間帯ｔ1において、その無線送受信部２７により固定の形式の信号を受信し、その測定部２８により無線品質を測定する（ステップＳ２２）。次いで、端末装置は、周波数割当てパターン２についても同様に、基地局装置に対して、固定の形式の信号を送信する（ステップＳ２３）。それに応答して、基地局装置は、周波数割当てパターン２での無線品質を測定する（ステップＳ２４）。【００４７】
ここでは、周波数割当てパターンはパターン１とパターン２の２つであるが、さらに３以降の周波数割当てパターンがある場合には、それらについても同様にする。なお、測定対象となる信号の、各隣接セルの端末装置ごとに異なる固定の形式が各基地局装置で既知であり、その固定の形式を利用することによって各隣接セルの端末装置での無線品質を区別することができる場合には、全ての割当て周波数を同時に使用する周波数割当てパターンの時間帯において、各隣接セルの端末装置での無線品質を測定し、その測定した無線品質から各周波数割当てパターンでの無線品質を算出するようにしてもよい。
【実施例４】
【００４８】
実施例４は、以下の点で実施例１と異なる。端末装置は、下り回線にて、基地局装置からのある周波数割当てパターンでの受信信号に対する無線品質を測定し、その無線品質を基地局装置に報告する。基地局装置は、その報告された無線品質から各周波数割当てパターンでの端末装置の無線品質を算出することにより、各周波数割当てパターンでの端末装置の無線品質を収集する。【００４９】
図１０は、本発明にかかる無線通信システムの実施例４の基地局装置を示す図である。図１０に示すように、基地局装置６０は、実施例１の基地局装置２０の構成に加えて、推測部６１を備えている。推測部６１は、端末装置から報告されるある周波数割当てパターンでの無線品質に基づいて、他の周波数割当てパターンでの無線品質を算出する。例えば、推測部６１は、周波数割当てパターン１（または、周波数割当てパターン２）での無線品質に基づいて、周波数割当てパターン２（または、周波数割当てパターン１）での無線品質を算出する。【００５０】
図１１は、本発明にかかる無線通信システムの実施例４の無線品質収集手順を示す図である。図１１に示すように、まず、基地局装置は、ある周波数割当てパターン（例えば、周波数割当てパターン１）の時間帯において、実施例１と同様にして、端末装置に対して、測定対象となる信号を送信する（ステップＳ３１）。また、基地局装置は、端末装置に対して、その周波数割当てパターンでの無線品質の測定と報告を要求する。【００５１】
端末装置は、その周波数割当てパターン（例えば、周波数割当てパターン１）の時間帯において、測定対象となる信号を受信し、無線品質を測定する（ステップＳ３２）。そして、端末装置は、その周波数割当てパターンでの無線品質を基地局装置に報告する（ステップＳ３３）。基地局装置は、報告された無線品質に基づいて、その推測部６１により、他の周波数割当てパターン（例えば、周波数割当てパターン２）での端末装置の無線品質を算出する（ステップＳ３４）。その際、推測部６１は、例えば、各周波数割当てパターンにて期待される無線品質の差分に基づいて、無線品質を算出する。この差分は、パラメータ（設定値）として予め基地局装置６０の記憶部２５に保持されている。
【実施例５】
【００５２】
実施例５は、以下の点で実施例１と異なる。端末装置は、下り回線にて、基地局装置からのある周波数割当てパターンでの受信信号に対する無線品質を測定する。そして、端末装置は、その測定した無線品質に基づいて、各周波数割当てパターンでの無線品質を算出し、測定および算出により得た無線品質を基地局装置に報告する。それによって、基地局装置は、各周波数割当てパターンでの端末装置の無線品質を収集する。【００５３】
図１２は、本発明にかかる無線通信システムの実施例５の端末装置を示す図である。図１２に示すように、端末装置７０は、実施例１の端末装置４０の構成に加えて、推測部７１を備えている。端末装置７０において、推測部７１は、測定部５０から転送されるある周波数割当てパターンでの無線品質に基づいて、他の周波数割当てパターンでの無線品質を算出する。例えば、推測部７１は、周波数割当てパターン１（または、周波数割当てパターン２）での無線品質に基づいて、周波数割当てパターン２（または、周波数割当てパターン１）での無線品質を算出する。【００５４】
図１３は、本発明にかかる無線通信システムの実施例５の無線品質収集手順を示す図である。図１３に示すように、まず、基地局装置は、ある周波数割当てパターン（例えば、周波数割当てパターン１）の時間帯において、実施例１と同様にして、端末装置に対して、測定対象となる信号を送信する（ステップＳ４１）。また、基地局装置は、端末装置に対して、その周波数割当てパターンでの無線品質の測定と各周波数割当てパターンの無線品質の報告を要求する。【００５５】
端末装置は、その周波数割当てパターン（例えば、周波数割当てパターン１）の時間帯において、測定対象となる信号を受信し、無線品質を測定する（ステップＳ４２）。次いで、端末装置は、測定した無線品質に基づいて、その推測部７１により、他の周波数割当てパターン（例えば、周波数割当てパターン２）での無線品質を算出する（ステップＳ４３）。その際、推測部７１は、例えば、各周波数割当てパターンにて期待される無線品質の差分に基づいて、無線品質を算出する。この差分は、予め基地局装置から通知され、パラメータ（設定値）として予め端末装置７０の記憶部４８に保持されている。そして、端末装置は、測定および算出により得た無線品質を基地局装置に報告する（ステップＳ４４）。
【実施例６】
【００５６】
実施例６は、以下の点で実施例１と異なる。基地局装置は、上り回線にて、端末装置からのある周波数割当てパターンでの受信信号に対する無線品質を測定する。そして、基地局装置は、その測定により得た無線品質から各周波数割当てパターンでの端末装置の無線品質を算出することにより、各周波数割当てパターンでの端末装置の無線品質を収集する。基地局装置は、無線品質の測定を周期的に行う。【００５７】
実施例６では、基地局装置の構成は、図１０に示す基地局装置６０と同じである。ただし、この基地局装置６０において、推測部６１は、その測定部２８から転送されるある周波数割当てパターンでの無線品質に基づいて、他の周波数割当てパターンでの無線品質を算出する。【００５８】
図１４は、本発明にかかる無線通信システムの実施例６の無線品質収集手順を示す図である。図１４に示すように、まず、端末装置は、ある周波数割当てパターン（例えば、周波数割当てパターン１）の時間帯において、実施例３と同様にして、基地局装置に対して、測定対象となる信号を送信する（ステップＳ５１）。【００５９】
基地局装置は、その周波数割当てパターン（例えば、周波数割当てパターン１）の時間帯において、測定対象となる信号を受信し、その測定部２８により無線品質を測定する（ステップＳ５２）。次いで、基地局装置は、測定により得た無線品質に基づいて、その推測部６１により、他の周波数割当てパターン（例えば、周波数割当てパターン２）での端末装置の無線品質を算出する（ステップＳ５３）。その際、推測部６１は、例えば、各周波数割当てパターンにて期待される無線品質の差分に基づいて、無線品質を算出する。この差分は、パラメータ（設定値）として予め基地局装置６０の記憶部２５に保持されている。【００６０】
ここまで説明した実施例１〜６のうち、例えば、実施例１、実施例４または実施例５は、下り回線での周波数割当てパターンの選択に適している。また、実施例３または実施例６は、上り回線での周波数割当てパターンの選択に適している。さらに、実施例１または実施例３は、各周波数割当てパターンの受信信号に対する無線品質を測定するので、精度に優れるという効果を奏する。一方、実施例４、実施例５または実施例６は、ある周波数割当てパターンの受信信号に対する無線品質に基づいて各周波数割当てパターンでの無線品質を算出するので、手順の高速化や周波数の有効利用に効果的である。
【実施例７】
【００６１】
実施例７は、各周波数割当てパターンにおける端末装置あたりの伝送速度が端末装置の無線品質だけで決定されない通信システムにおいて、ある端末装置に対して選択した複数個の周波数割当てパターンからいくつかに絞る場合の例である。この場合、基地局装置は、各周波数割当てパターンに対する端末装置の無線品質と、各周波数割当てパターンにて期待される伝送速度に基づいて、端末装置との通信を行う周波数割当てパターンを割当てる。【００６２】
図１５は、本発明にかかる無線通信システムの実施例７の基地局装置を示す図である。図１５に示すように、基地局装置８０は、実施例１の基地局装置２０の構成に加えて、速度算出部８１を備えている。速度算出部８１は、端末装置あたりの期待される伝送速度を算出する。適応変調方式を採用する通信システムにおいて、例えば、端末装置に割当てられる符号化変調方式での単位時間および単位周波数あたりの伝送速度をＥとし、周波数幅をＦとし、時間期間をＧとする。このとき、速度算出部８１は、端末装置あたりの期待される伝送速度を、［Ｅ×Ｆ×Ｇ］として算出する。【００６３】
符号化変調方式は、端末装置の無線品質に基づいて決定される。また、端末装置への割当て周波数幅や時間期間が、各周波数割当てパターンを形成する周波数幅や時間期間に比例すると仮定する場合には、前者の周波数幅や時間期間の代わりに、後者の周波数幅や時間期間を用いてもよい。さらに、符号化変調方式での単位周波数あたりの伝送速度は、パラメータ（設定値）として予め基地局装置８０の記憶部２５に保持されている。そして、基地局装置８０は、各周波数割当てパターンでの端末装置あたりの期待される伝送速度を比較し、同伝送速度が良好な周波数割当てパターンから順番に選択する。【００６４】
具体例を示して、説明する。例えば、実施例１で説明したように、周波数割当てパターン１の時間帯ｔ1と周波数割当てパターン２の時間帯ｔ2が交互に繰り返される場合を例にする。【００６５】
図１６は、端末装置の位置の例を示す図である。図１６に示すように、セルＡ１１の基地局周辺領域１４にいる丸印の端末装置９１に対して、各周波数割当てパターンでの無線品質が収集される。また、セルＡ１１の境界付近領域１７にいる四角印の端末装置９２に対しても、同様に、無線品質が収集される。実施例１と同様に、基地局周辺領域１４は、周波数割当てパターン１および周波数割当てパターン２のいずれにおいても通信を実現できる領域である。セルの境界付近領域１７は、周波数割当てパターン１においてのみ、通信を実現できる領域である。【００６６】
図１７は、基地局装置が収集した端末装置の無線品質の例を示す図である。図１７に示すように、同じ周波数割当てパターンにて両端末装置９１，９２の無線品質を比較すると、丸印の端末装置９１の無線品質の方が良好となる。また、同一の端末装置で各周波数割当てパターンでの無線品質を比較すると、周波数割当てパターン１での無線品質の方が良好となる。通信品質を保証する所要の無線品質が３ｄＢである場合、丸印の端末装置９１については、周波数割当てパターン１と周波数割当てパターン２のいずれも選択することができる。一方、四角印の端末装置９２については、周波数割当てパターン１のみを選択することができる。【００６７】
さらに、適応変調方式を採用する通信システムにおいて、丸印の端末装置９１について、周波数割当てパターン１と周波数割当てパターン２のうちのいずれか一方に絞る場合について説明する。一例として、丸印の端末装置９１の無線品質に基づいて、周波数割当てパターン１では、単位周波数あたりの伝送速度が２ｂｐｓ／Ｈｚとなる符号化変調方式が選択されており、割当てられる周波数幅が１ＭＨｚであり、割当てられる時間期間が１０ｍｓ毎に１ｍｓであるとする。この場合に周波数割当てパターン１にて期待される端末装置あたりの伝送速度は、２００ｋｂｐｓとなる。【００６８】
一方、周波数割当てパターン２では、単位周波数あたりの伝送速度が１ｂｐｓ／Ｈｚとなる符号化変調方式が選択されており、割当てられる周波数幅が３ＭＨｚであり、割当てられる時間期間が１０ｍｓ毎に１ｍｓであるとする。この場合に周波数割当てパターン２にて期待される端末装置あたりの伝送速度は、３００ｋｂｐｓになる。従って、伝送速度に従う場合には、丸印の端末装置９１については、周波数割当てパターン２が選択される。
【実施例８】
【００６９】
実施例８は、各周波数割当てパターンを複数個の端末装置が共用する通信システムにおいて、ある端末装置に対して選択した複数個の周波数割当てパターンからいくつか絞る場合の例である。この場合、基地局装置は、各周波数割当てパターンに対する端末装置の無線品質と、各周波数割当てパターンを共用する端末装置の数に基づいて、端末装置との通信を行う周波数割当てパターンを割当てる。【００７０】
図１８は、本発明にかかる無線通信システムの実施例８の基地局装置を示す図である。図１８に示すように、基地局装置１００は、実施例１の基地局装置２０の構成に加えて、計測部１０１を備えている。計測部１０１は、各周波数割当てパターンを選択する可能性のある端末装置の数を計測する。基地局装置１００は、計測部１０１により計測した端末装置数と基準の端末装置数を比較する。ここで、基準の端末装置数は、各周波数割当てパターンにて異なり、パラメータ（設定値）として予め基地局装置１００の記憶部２５に保持されている。【００７１】
基地局装置１００は、計測した端末装置数が基準の端末装置数に対してより少ない周波数割当てパターンから順番に選択する。なお、計測した端末装置数から端末装置あたりの期待される伝送速度を算出し、その算出した伝送速度に基づいて、選択した複数個の周波数割当てパターンからいくつかに絞るようにしてもよい。例えば、ある周波数割当てパターンにて実現できる最大の伝送速度をＨとし、計測した端末装置数をＮとする。【００７２】
この場合、端末装置あたりの期待される伝送速度は、［Ｈ／Ｎ］として算出される。基地局装置１００は、各周波数割当てパターンでの端末装置あたりの期待される伝送速度を比較し、その伝送速度が良好な周波数割当てパターンから順番に選択する。ここで、各周波数割当てパターンにて実現できる最大の伝送速度は、パラメータ（設定値）として予め基地局装置１００の記憶部２５に保持されているとよい。
【実施例９】
【００７３】
実施例９は、以下の点で実施例１と異なる。端末装置は、下り回線にて、基地局装置からの各周波数割当てパターンでの受信信号に対する無線品質を測定することにより、各周波数割当てパターンでの端末装置の無線品質を収集する。そして、端末装置は、収集した各周波数割当てパターンでの無線品質と通信品質を保証する所要の無線品質を比較して、基地局装置との通信を行う周波数割当てパターンを選択し、その選択した周波数割当てパターンを基地局装置に要求する。基地局装置は、端末装置から要求された周波数割当てパターンの使用可否を判定する。【００７４】
図１９は、本発明にかかる無線通信システムの実施例９の端末装置を示す図である。図１９に示すように、端末装置１１０は、実施例１の端末装置４０の構成に加えて、周波数選択部１１１を備えている。周波数選択部１１１は、各周波数割当てパターンでの無線品質に基づいて、基地局装置と通信を行う周波数割当てパターンを選択する。【００７５】
図２０は、本発明にかかる無線通信システムの実施例９の周波数割当て手順を示す図である。図２０に示すように、まず、端末装置１１０は、周期的または基地局装置からの要求などに基づく事象契機によって、各周波数割当てパターンでの無線品質を収集する（ステップＳ６１）。その際、端末装置１１０は、図６のステップＳ１１〜ステップＳ１４の処理によって各周波数割当てパターンでの無線品質を収集することができる。【００７６】
次いで、端末装置１１０は、その周波数選択部１１１により、収集した各周波数割当てパターンでの無線品質と、通信品質を保証する所要の無線品質を比較して、基地局装置と通信を行う周波数割当てパターンとして、所要の無線品質を満足する周波数割当てパターンを選択する（ステップＳ６２）。ここで、所要の無線品質は、各周波数割当てパターンに対して共通であり、基地局装置から予め通知され、端末装置１１０の記憶部４８に保持されている。【００７７】
選択する周波数割当てパターンの数は、１個でもよいし、複数個でもよい。周波数選択部１１１は、選択した複数個の周波数割当てパターンからいくつかに絞る場合には、無線品質が良好な周波数割当てパターンから順番に選択する。そして、端末装置１１０は、選択した周波数割当てパターンを、基地局装置と通信を行う周波数割当てパターンとして基地局装置に要求する（ステップＳ６３）。【００７８】
基地局装置は、要求された周波数割当てパターンの使用可否を判定する（ステップＳ６４）。そして、基地局装置は、その判定を参考として、端末装置１１０に対して、通信を行う周波数割当てパターンを割当てる（ステップＳ６５）。周波数割当てパターンの割当てが済んだら、基地局装置と端末装置１１０は、その割当てられた周波数割当てパターンで通信を行う（ステップＳ６６）。
【実施例１０】
【００７９】
実施例１０は、以下の点で実施例１と異なる。端末装置は、下り回線にて、基地局装置からのある周波数割当てパターンでの受信信号に対する無線品質を測定し、その測定した無線品質に基づいて、各周波数割当てパターンでの無線品質を算出する。そして、端末装置は、測定および算出により得た各周波数割当てパターンでの無線品質と通信品質を保証する所要の無線品質を比較して、基地局装置との通信を行う周波数割当てパターンを選択し、その選択した周波数割当てパターンを基地局装置に要求する。基地局装置は、端末装置から要求された周波数割当てパターンの使用可否を判定する。【００８０】
図２１は、本発明にかかる無線通信システムの実施例１０の端末装置を示す図である。図２１に示すように、端末装置１２０は、実施例１の端末装置４０の構成に加えて、推測部７１と周波数選択部１１１を備えている。推測部７１は、実施例５において説明した通りである。周波数選択部１１１は、実施例９において説明した通りである。実施例１０の周波数割当て手順は、図２０に示す通りである。ただし、ステップＳ６１において、端末装置１２０は、図１３のステップＳ４１〜ステップＳ４３の処理によって各周波数割当てパターンでの無線品質を収集することができる。
【実施例１１】
【００８１】
実施例１１は、上述した実施例１〜１０において、セルの全ての端末装置に対して選択した各周波数割当てパターンの回数を集計し、その集計した回数の比率に応じて各周波数割当てパターンの時間帯の比率を変更するようにしたものである。従って、実施例１１の基地局装置は、実施例１の基地局装置２０の構成に加えて、計測部を備えている。計測部は、各周波数割当てパターンを選択した回数などを計測する。【００８２】
また、実施例４において実施例１１を適用する場合には、基地局装置は、さらに推測部６１（図１０参照）を備える。また、実施例７において実施例１１を適用する場合には、基地局装置は、さらに速度算出部８１（図１５参照）を備える。また、実施例８において実施例１１を適用する場合には、基地局装置は、さらに計測部１０１（図１８参照）を備える。なお、実施例１１において追加される計測部が、図１８の計測部１０１を兼ねていてもよい。【００８３】
各周波数割当てパターンの時間帯を動的に変動させる手順は、次の通りである。まず、基地局装置は、その計測部により、セルの全ての端末装置について、各端末装置に対して選択した周波数割当てパターンの回数を集計する。周波数割当てパターンの選択は、各周波数割当てパターンでの端末装置の無線品質や、各周波数割当てパターンでの端末装置あたりの期待される伝送速度や、各周波数割当てパターンを共用する端末装置数などに基づいて行われる。【００８４】
そして、基地局装置は、集計した回数の比率に基づいて各周波数割当てパターンの時間帯を変更する。この変更は、所定の集計数を超えたときや、所定の集計時間を経過したときなどに実施される。この所定の集計数や所定の集計時間は、パラメータ（設定値）として予め基地局装置の記憶部に保持されている。また、基地局装置の周波数割当て切換部が、各周波数割当てパターンの時間帯の決定や変更を行う。なお、各周波数割当てパターンの時間帯の決定や変更は、隣接セルの基地局装置との調整により行われてもよい。【００８５】
図２２は、各周波数割当てパターンの時間帯の決定や変更を行う際の調整手順を示す図である。この調整手順の説明において、隣接セルの基地局装置に対して各周波数割当てパターンの時間帯の変更を要求する側の基地局装置が形成するセルを当該セルとする。【００８６】
図２２に示すように、まず、当該セルの基地局装置は、その計測部により、セルの全ての端末装置について、各端末装置に対して選択した周波数割当てパターンの回数を集計する（ステップＳ７１）。次いで、当該セルの基地局装置は、その周波数割当て切換部により、集計により得た回数の比率に基づいて、各周波数割当てパターンの時間帯を決定する（ステップＳ７２）。【００８７】
そして、当該セルの基地局装置は、隣接セルの基地局装置に対して、各周波数割当てパターンの時間帯の変更を要求する（ステップＳ７３）。その際、当該セルの基地局装置は、隣接セルの基地局装置に、決定した各周波数割当てパターンの時間帯や、その変更のタイミングなどを通知する。当該セルの基地局装置の記憶部には、隣接セルの基地局装置が存在するか否かという情報が予め保持されている。なお、複数個の隣接セルの基地局装置が存在してもよい。【００８８】
隣接セルの基地局装置は、当該セルの基地局装置からの要求を受け取ると、その要求を受け入れるか否かを判定する（ステップＳ７４）。その判定にあたって、隣接セルの基地局装置は、要求された各周波数割当てパターンの時間帯と、自身（隣接セルの基地局装置）において当該セルの基地局装置と同様にして決定される各周波数割当てパターンの時間帯を比較し、両者の差分が基準の差分より小さいときに、その要求を受入れる。その反対に、両者の差分が基準の差分より大きいときには、その要求を拒否する。ここで、基地局装置の記憶部には、その基準の差分がパラメータ（設定値）として予め保持されている。【００８９】
要求を拒否する場合、隣接セルの基地局装置は、当該セルの基地局装置に対して、要求の受入拒否を応答する（ステップＳ７５）。その際、隣接セルの基地局装置は、希望する各周波数割当てパターンの時間帯などを通知する。当該セルの基地局装置は、その希望された各周波数割当てパターンの時間帯を参考にして、各周波数割当てパターンの時間帯を再度、決定する（ステップＳ７６）。そして、当該セルの基地局装置は、隣接セルの基地局装置に対して、各周波数割当てパターンの時間帯の変更を再び要求する（ステップＳ７７）。【００９０】
隣接セルの基地局装置は、その要求の受け入れるか否かを判定し（ステップＳ７８）、その要求を受入れるときには、当該セルの基地局装置に対する応答として、その要求を受け入れることを通知する（ステップＳ７９）。それによって、当該セルの基地局装置と隣接セルの基地局装置は、当該セルの基地局装置からの再要求により通知された変更の実施時期に従って各周波数割当てパターンの時間帯を変更する（ステップＳ８０）。
【実施例１２】
【００９１】
実施例１２は、本発明にかかる通信システムを、ＯＦＤＭＡ方式を採用するＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）システムに適用した例である。図２３は、想定するフレーム構成を示す図である。図２３に示すように、ＷｉＭＡＸシステムでは、基本的な伝送単位としてフレーム１３０が構成される。各フレーム１３０では、その始めに、基地局装置と端末装置が同期するために使用されるプリアンブル１３１が存在し、その次にバースト領域１３２，１３３，１３４，１３５が存在する。【００９２】
フレーム内のバースト領域１３２，１３３，１３４，１３５の各時間帯は、ゾーンと呼ばれる。バースト領域１３２，１３３，１３４，１３５は、上り回線と下り回線のサブフレームに分割されている。バースト領域１３２，１３３，１３４，１３５では、基地局装置と端末装置との間のデータ送受信が行われる。また、ＷｉＭＡＸシステムでは、周波数軸方向に複数のサブキャリアに分割される。【００９３】
図２４は、プリアンブルでの周波数割当て方式を説明する図である。図２４に示すように、各フレーム１３０のプリアンブル１３１では、３個おきに位置するサブキャリアが使用される。すなわち、プリアンブル１３１のサブキャリアは、３種類の異なる位置に存在することができる。そして、隣接セル同士で異なる位置のサブキャリアにおけるプリアンブルを使用する。例えば、セルＡ１１、セルＢ１２およびセルＣ１３は、それぞれ、周波数ｆa、ｆbおよびｆcのサブキャリアを使用する。【００９４】
図２５は、バースト領域での周波数割当て方式を説明する図である。図２５に示すように、バースト領域では、ＷｉＭＡＸシステムへの割当て周波数を３個に分割し、隣接セル同士で異なる周波数ｆA、ｆBおよびｆCを使用する時間帯ｔ1と、全てのセルでＷｉＭＡＸシステムへの全ての割当て周波数を使用する時間帯ｔ2が割当てられる。【００９５】
すなわち、時間帯ｔ1では、セルＡ１１、セルＢ１２およびセルＣ１３は、それぞれ、ｆA、ｆBおよびｆCの周波数のサブキャリアを使用する。また、時間帯ｔ2では、セルＡ１１、セルＢ１２およびセルＣ１３は、周波数ｆAのサブキャリアと周波数ｆBのサブキャリアと周波数ｆCのサブキャリアを使用する。【００９６】
なお、上り回線と下り回線の各サブフレームに対して、両方の周波数割当てパターンを割当ててもよいし、一方の周波数割当てパターンのみを割当ててもよい。また、フレーム間にて両方の周波数割当てパターンを繰り返してもよい。各セルの基地局装置は、周波数割当てパターンに関係なく、隣接セルとの境界まで届くような通常の送信電力で電波が送信する。【００９７】
図２６は、端末装置が、自身がいるセルでのプリアンブルのサブキャリアの無線品質を、同じ位置のサブキャリアにおける干渉雑音に対して測定した場合の無線品質を示す図である。図２６において、符号１４１は、自身がいるセル（例えば、図２４のセルＡ１５１）でのプリアンブルのサブキャリア（周波数ｆa）の無線品質である。【００９８】
また、符号１４２は、自身がいるセル（例えば、図２４のセルＡ１５１）の周囲において、同一サブキャリア（周波数ｆa）を使用するセル（例えば、図２４のセルＡ１１、セルＡ１５２およびセルＡ１５３など）でのプリアンブルのサブキャリア（周波数ｆa）の無線品質である。図２６に示すように、この場合に得られる無線品質は、隣接セルのプリアンブルを含まないので、隣接セルが異なる周波数を使用するときの無線品質に相当する。【００９９】
図２７は、端末装置が、自身がいるセルでのプリアンブルのサブキャリアの無線品質を、全てのサブキャリアにおける干渉雑音に対して測定した場合の無線品質を示す図である。図２７において、符号１４１および符号１４２については、上述した通りである。符号１４３は、自身がいるセル（例えば、図２４のセルＡ１５１）の周囲において、異なるサブキャリア（周波数ｆb）を使用するセル（例えば、セルＢ１２およびセルＢ１５４など）でのプリアンブルのサブキャリアの無線品質である。【０１００】
また、符号１４４は、自身がいるセル（例えば、図２４のセルＡ１５１）の周囲において、異なるサブキャリア（周波数ｆc）を使用するセル（例えば、セルＣ１３およびセルＣ１５５など）でのプリアンブルのサブキャリアの無線品質である。図２７に示すように、この場合に得られる無線品質は、隣接セルのプリアンブルを含むので、隣接セルが同じ周波数を使用するときの無線品質に相当する。【０１０１】
従って、端末装置は、バースト領域における、ＷｉＭＡＸシステムへの割当て周波数を３個に分割して隣接セル同士で異なる周波数を使用する時間帯ｔ1の周波数割当てパターン１に相当する無線品質を、プリアンブルを使用して測定することができる。また、端末装置は、ＷｉＭＡＸシステムへの全ての割当て周波数を使用する時間帯ｔ2の周波数割当てパターン２に相当する無線品質を、プリアンブルを使用して測定することができる。【０１０２】
図２８は、本発明にかかる無線通信システムの実施例１２の周波数および符号化変調方式の割当て手順を示す図である。図２８に示すように、まず、基地局装置は、端末装置に対して、プリアンブルを使用した無線品質の測定とその結果の報告を要求する（ステップＳ９１）。その際、測定する無線品質は、隣接セルが異なる周波数を使用するときに相当する無線品質と、隣接セルが同じ周波数を使用するときに相当する無線品質とする。あるいは、測定する無線品質を、隣接セルが同じ周波数を使用するときに相当する無線品質のみとしてもよい。【０１０３】
端末装置は、基地局装置からの要求に応答して、該当する無線品質を測定し、その結果得た無線品質を基地局装置に報告する（ステップＳ９２）。次いで、基地局装置は、端末装置から報告された、全ての周波数を使用する時間帯に相当する無線品質、すなわち全ての周波数を使用する周波数割当てパターンに相当するプリアンブルの無線品質と、通信品質を保証する所要の無線品質を比較して、バースト領域において当該端末装置と通信を行う周波数割当てパターンを選択する（ステップＳ９３）。ここで、所要の無線品質は、予め基地局装置の記憶部に保持されている。【０１０４】
また、基地局装置は、端末装置に対して、全ての周波数を使用する時間帯の周波数割当てパターンを選択するときの符号化変調方式を、全ての周波数を使用する時間帯に相当する無線品質に基づいて、選択する（ステップＳ９４）。一方、基地局装置は、端末装置に対して、３個に分割した周波数を使用する時間帯の周波数割当てパターンを選択するときの符号化変調方式を、３個に分割した周波数を使用する時間帯に相当する無線品質、または全ての周波数を使用する時間帯に相当する無線品質から推測される無線品質に基づいて、選択する（ステップＳ９４）。【０１０５】
なお、各端末装置に対する周波数割当てパターンと符号化変調方式を選択する際に、端末装置の無線品質に加えて、各周波数割当てパターンでの端末装置あたりの期待される伝送速度、または各周波数割当てパターンを共用する端末装置数などに基づいて、選択を行うこともできる。そして、基地局装置は、選択した周波数割当てパターンと符号化変調方式を参考として、バースト領域にて当該端末装置に対して通信を行う周波数割当てパターンと符号化変調方式を割当てる（ステップＳ９５）。周波数割当てパターンは、時間軸と周波数軸からなる領域として表される。周波数割当てパターンと符号化変調方式の割当てが済んだら、基地局装置と端末装置は、その割当てられた周波数割当てパターンと符号化変調方式で通信を行う（ステップＳ９６）。【０１０６】
上述した各実施例によれば、分割した周波数を使用する周波数割当てパターン１の時間帯ｔ1にて、隣接セル等と異なる周波数を使用することにより、セル等の境界に位置する端末装置に対する干渉が回避されるので、セル等内の全ての端末装置との通信を実現することができる。また、全ての周波数を使用する周波数割当てパターン２の時間帯ｔ2にて、全てのセル等が同じ周波数を使用することにより、周波数利用効率が改善するので、セル等の中央に位置する端末装置あたりの伝送速度を改善することができる。【０１０７】
さらに、送信電力の厳密な調整や、端末装置との通信における複雑な制御が不要となる。また、隣接セル等からの干渉が負荷などにより変動する場合、各周波数割当てパターンでの端末装置の無線品質は自然と改善される。そのため、通信システムに新たな制御を追加することなく、端末装置に対して周波数幅の大きい周波数割当てパターンを自然と割当てることができるので、伝送速度を改善することができる。【０１０８】
さらに、隣接セル等での負荷などによる干渉の変動に応じて、不要な周波数割当てパターンを削除することによって、周波数幅の大きい周波数割当てパターンの時間期間を拡大することができるので、セル等あたりの平均的な周波数幅を広げることができる。全ての隣接セル等が使用されていないために干渉がない場合には、セル等内の全ての端末装置が全ての周波数を全ての時間帯にて使用することができる。【０１０９】
以上において本発明は、上述した実施例に限らず、種々変更可能である。例えば、通信システムへの割当て周波数の分割数は、３個に限らず、２個でもよいし、４個以上でもよい。周波数割当てパターンの数に応じて時間帯の数が増減する。通信システムへの割当て周波数をより細かく分割して分割数を増やすと、同じ周波数を使用するセル同士の距離を離すことができるので、干渉が軽減され、無線品質が改善される。尚、上述実施例では、基地局からの送信に用いる周波数について主に示しているが、基地局における受信に用いる周波数に置き換えても同様であるし、送信、受信双方であってもよい。
【産業上の利用可能性】
【０１１０】
以上のように、本発明にかかる無線通信システム、端末装置および通信方法は、移動通信システムに有用であり、特に、ＷｉＭＡＸシステムに適している。
【図１】
2008105091.tif 000003
【図２】
2008105091.tif 000004
【図３】
2008105091.tif 000005
【図４】
2008105091.tif 000006
【図５】
2008105091.tif 000007
【図６】
2008105091.tif 000008
【図７】
2008105091.tif 000009
【図８】
2008105091.tif 000010
【図９】
2008105091.tif 000011
【図１０】
2008105091.tif 000012
【図１１】
2008105091.tif 000013
【図１２】
2008105091.tif 000014
【図１３】
2008105091.tif 000015
【図１４】
2008105091.tif 000016
【図１５】
2008105091.tif 000017
【図１６】
2008105091.tif 000018
【図１７】
2008105091.tif 000019
【図１８】
2008105091.tif 000020
【図１９】
2008105091.tif 000021
【図２０】
2008105091.tif 000022
【図２１】
2008105091.tif 000023
【図２２】
2008105091.tif 000024
【図２３】
2008105091.tif 000025
【図２４】
2008105091.tif 000026
【図２５】
2008105091.tif 000027
【図２６】
2008105091.tif 000028
【図２７】
2008105091.tif 000029
【図２８】
2008105091.tif 000030
【図２９】
2008105091.tif 000031
【図３０】
2008105091.tif 000032
【図３１】
2008105091.tif 000033
【国際調査報告】
2008105091.tif 000034
2008105091.tif 000035
2008105091.tif 000036
2008105091.tif 000037